(57)【特許請求の範囲】
【請求項１】
タブが偏平面と平行に導出された偏平な単電池を用い、この偏平な単電池を複数積層してなる組電池において、
各タブが、偏平面と平行に延びる基部と、基部の先端から偏平面に対し直交する方向に折り曲げられた第１の片部と、第１の片部の先端から傾斜して折り曲げられた第２の片部と、第１の片部と平行になるようにして第２の片部の先端から折り曲げられた第３の片部と、を備え、
１つの単電池のタブの第３の片部が、積層方向に隣接した単電池のタブの第１の片部に重ね合わされて接合され、第１の片部から少なくともタブの厚さ分だけタブ導出方向にオフセットしている組電池。
【請求項２】
第３の片部が、その中央から折り返されており、
この第３の片部の先端から、第２の片部とは反対側に傾斜して折り曲げられた第４の片部と、偏平面に対し直交する方向に延びるようにして上記第４の片部の先端から折り曲げられた第５の片部と、をさらに備えることを特徴とする請求項１に記載の組電池。
【請求項３】
第３の片部から第２の片部とは反対側に傾斜して折り曲げられた第４の片部と、上記第３の片部と平行になるようにして上記第４の片部の先端から折り曲げられた第５の片部と、
をさらに備え、第２の片部と第４の片部とは、タブ幅方向に互いにオフセットしていることを特徴とする請求項１に記載の組電池。
【発明の詳細な説明】
【技術分野】
【０００１】
本発明は、積層方向のタブ同士を重ね合わせて接合してなる組電池に関する。
【背景技術】
【０００２】
偏平な単電池を複数積層してなる組電池として特許文献１に記載されたものが知られている。特許文献１に記載された組電池では、積層方向に隣接した偏平な単電池の電極端子同士が、電極端子の導出方向に沿って互いに重ね合わされて接合されている。
【先行技術文献】
【特許文献】
【０００３】
【特許文献１】特開２００７−１０９５４８号公報
【発明の概要】
【発明が解決しようとする課題】
【０００４】
しかし、偏平な単電池を複数積層するときには、これらの単電池が、電極端子の導出方向にずれて配置されることがあり、積層方向に隣接した電極端子同士をこの状態のまま接合すると複数の偏平な単電池の位置ずれを含む組電池が形成されてしまう。このような組電池をケースに収容することは困難である。また、仮に、複数の偏平な単電池の間の上記位置ずれを強引に修正しようとすると、互いに接合された電極端子同士の間に負荷がかかってしまう。
【課題を解決するための手段】
【０００５】
本発明では、タブが偏平面と平行に導出された偏平な単電池を用い、この偏平な単電池を複数積層してなる組電池において、各タブが、偏平面と平行に延びる基部と、基部の先端から偏平面に対し直交する方向に折り曲げられた第１の片部と、第１の片部の先端から傾斜して折り曲げられた第２の片部と、第１の片部と平行になるようにして第２の片部の先端から折り曲げられた第３の片部と、を備え、１つの単電池のタブの第３の片部が、積層方向に隣接した単電池のタブの第１の片部に重ね合わされて接合され、第１の片部から少なくともタブの厚さ分だけタブ導出方向にオフセットしている。
【発明の効果】
【０００６】
本発明によれば、偏平な単電池を複数積層してなる組電池において、第２の片部の傾斜を用いて、１つの単電池のタブの第３の片部を、積層方向に隣接した単電池のタブの第１の片部に順次重ね合わせて接合することによって、各単電池においてタブ導出方向の位置が規定され、複数の単電池の位置が揃った組電池を得ることができる。
【図面の簡単な説明】
【０００７】
【図１】単電池の一例としてラミネート型のリチウムイオン二次電池の概略構造を示す斜視図である。
【図２】本発明に係る組電池の第１の実施例を示す図である。
【図３】４つの単電池における一方のタブの列の接続状態を模式的に示した図である。
【図４】本発明に係る組電池の第２の実施例を示す図である。
【図５】他の実施例のタブを有した１つの単電池を示す図である。
【図６】図５の単電池のタブを形成する工程を示す図である。
【図７】積層方向に互いに隣接したタブ同士を重ね合わせてなる組電池を示す図である。
【図８】重ね合わされたタブの状態を示す図である。
【発明を実施するための形態】
【０００８】
図１に基づいて、本発明の組電池に用いられるフィルム外装電池の一例を説明する。図１は、フィルム外装電池の一例としてリチウムイオン二次電池１の概略構造を示しており、この二次電池１（以下、単に「単電池」という。）は、例えば、電気自動車のリチウムイオンバッテリパックを構成する単電池として用いられる。
【０００９】
図１に示すように、単電池１は、電極端子として一対のタブ２，２が外部に導出された状態で上下二枚のラミネートフィルム３ａ，３ｂからなる矩形状のラミネートフィルム外装体３にて収納密閉されている。ラミネートフィルム外装体３の内部には、電極としての正極ならびに負極とこれら両者の間に介在するセパレータとを複数積層してなる電池要素（発電要素）である積層体が電解液とともに収容されていて、ラミネートフィルム外装体３の四周が熱溶着により気密に封止されている。ここで、一対のタブ２，２は、一方が正極タブであり、他方が負極タブである。また、一対のタブ２，２は、単電池１の本体部の偏平面４と平行に延びている。このように構成された偏平な単電池１は、複数積層した上でそれぞれのタブ２を接合することで組電池を構成する。
【００１０】
ここで、以下の説明の便宜のために、タブ２の導出方向である図１のＸ方向を「タブ導出方向」と定義し、Ｘ方向と直交するＹ方向を「タブ幅方向」と定義し、さらに、Ｘ方向およびＹ方向と直交するＺ方向を「積層方向」と定義する。
【００１１】
図２は、本発明に係る組電池の第１の実施例を示す図である。ここで、複数積層された単電池１を上から順に第１の単電池１Ａ、第２の単電池１Ｂ、第３の単電池１Ｃ・・・とする。図２に示す例では、左側のタブの列において、第１の単電池１Ａのタブ２と第２の単電池１Ｂのタブ２とを積層方向Ｚに隣接させて配置してこれらのタブ２，２同士を互いに接合し、さらに、第２の単電池１Ｂのタブ２と第３の単電池１Ｃのタブ２とを積層方向Ｚに隣接させて配置してこれらのタブ２，２同士を互いに接合してある。そして、このような接合を第３の単電池１Ｃのタブ２および第４の単電池１Ｄのタブ２にも適用することにより、左側のタブの列において、第１〜４の単電池１Ａ〜１Ｄのタブ２，２，２，２が並列接続されている。同様に、右側のタブの列において、積層方向Ｚに隣接した第１の単電池１Ａのタブ２と第２の単電池１Ｂのタブ２とを互いに接合し、さらに、積層方向Ｚに隣接した第２の単電池１Ｂのタブ２と第３の単電池１Ｃのタブ２とを互いに接合してある。そして、このような接合を第３の単電池１Ｃのタブ２および第４の単電池１Ｄのタブ２にも適用することにより、右側のタブの列においても、第１〜４の単電池１Ａ〜１Ｄのタブ２，２，２，２が並列接続されている。このようにして、組電池５が構成されている。
【００１２】
図３は、図２の組電池５の同じ形状のタブを有した４つの単電池１Ａ〜１Ｄにおける一方のタブの列の接続状態を模式的に示した図である。第１の単電池１Ａのタブ２は、偏平面４と平行に延びる基部２ａを備えており、第１の片部２ｂが、基部２ａの先端から偏平面４に対し直交する方向にかつ下方に折り曲げられている。また、第２の片部２ｃが、第１の片部２ｂの先端から第１の単電池１Ａの本体部側とは反対側に傾斜して折り曲げられている。そして、第３の片部２ｄが、第１の片部２ｂと平行に延びるようにして第２の片部２ｃの先端から折り曲げられている。つまり、第１の片部２ｂと第３の片部２ｄとは、互いに平行に延びており、傾斜した第２の片部２ｃを介して互いに接続されている。このとき、第３の片部２ｄは、少なくともタブ２の厚さ分だけ第１の片部２ｂからタブ導出方向Ｘにオフセットしている。
【００１３】
第２の単電池１Ｂのタブ２は、第１の単電池１Ａのタブ２と同じ形状を有している。つまり、第２の単電池１Ｂのタブ２は、偏平面４と平行に延びる基部２ａを備えており、第１の片部２ｂが、基部２ａの先端から偏平面４に対し直交する方向にかつ下方に折り曲げられている。また、第２の片部２ｃが、第１の片部２ｂの先端から第２の単電池１Ｂの本体部側とは反対側に傾斜して折り曲げられている。そして、第３の片部２ｄが、第１の片部２ｂと平行に延びるようにして第２の片部２ｃの先端から折り曲げられている。このとき、第３の片部２ｄは、少なくともタブ２の厚さ分だけ第１の片部２ｂからタブ導出方向Ｘにオフセットしている。
【００１４】
また、第３の単電池１Ｃおよび第４の単電池１Ｄも、第１，２の単電池１Ａ，１Ｂのタブ２，２と同じ形状を有している。つまり、第３の単電池１Ｃおよび第４の単電池１Ｄは、第１，２の単電池１Ａ，１Ｂのタブ２，２と同様に折り曲げられた第１の片部２ｂ，２ｂ、第２の片部２ｃ，２ｃおよび第３の片部２ｄ，２ｄをそれぞれ備えている。従って、第１〜４の単電池１Ａ〜１Ｄのタブ２，２，２，２全てが、同じ形状を有している。
【００１５】
組電池５とした状態では、第１の単電池１Ａのタブ２の第３の片部２ｄが、第２の単電池１Ｂのタブ２の第１の片部２ｂに重ね合わされている。同様に、第２の単電池１Ｂのタブ２の第３の片部２ｄが、第３の単電池１Ｃのタブ２の第１の片部２ｂに重ね合わされており、さらに、第３の単電池１Ｃのタブ２の第３の片部２ｄが、第４の単電池１Ｄのタブ２の第１の片部２ｂに重ね合わされている。
【００１６】
このように、第２の片部２ｃの傾斜を用いて少なくともタブ２の厚さ分だけ第１の片部２ｂから第３の片部２ｄをタブ導出方向Ｘにオフセットさせながら、積層方向Ｚに隣接する２つの単電池において、タブ２，２の互いに平行な第３の片部２ｄと第１の片部２ｂとを重ね合わせているので、積層方向Ｚに隣接する２つの単電池のタブ２，２の第１の片部２ｂ，２ｂ同士が垂直方向に互いに干渉することなく、積層方向Ｚに隣接する２つの単電池のタブ２，２を重ね合わせることができる。また、単電池１を複数積層した時点で、積層方向Ｚに隣接した複数の単電池１がタブ導出方向Ｘに互いにずれて配置されていたとしても、これらの単電池１のタブ２をレーザ溶接する際に、上述のように積層方向Ｚに隣接する２つの単電池のタブ２，２を重ね合わせることにより、各単電池１においてタブ導出方向Ｘの位置が規定され、複数の単電池１の位置が揃った組電池を得ることができる。
【００１７】
そして、レーザ溶接機（図示せず）が、重ね合わされた第１の単電池１Ａのタブ２の第３の片部２ｄおよび第２の単電池１Ｂのタブ２の第１の片部２ｂの双方と直交するようにして第３の片部２ｄ側から矢印Ｌ１で示すようにレーザを照射する。そして、レーザＬ１を走査することにより、第１の単電池１Ａのタブ２と第２の単電池１Ｂのタブ２とが互いに接合される。同様に、レーザ溶接機（図示せず）は、重ね合わされた第２の単電池１Ｂのタブ２の第３の片部２ｄおよび第３の単電池１Ｃのタブ２の第１の片部２ｂの双方と直交するようにして第３の片部２ｄ側からレーザＬ１を照射する。そして、レーザＬ１を走査することにより、第２の単電池１Ｂのタブ２と第３の単電池１Ｃのタブ２とが互いに接合される。さらに、重ね合わされた第３の単電池１Ｃのタブ２の第３の片部２ｄおよび第４の単電池１Ｄのタブ２の第１の片部２ｂの双方と直交するようにして第３の片部２ｄ側からレーザＬ１を照射する。そして、レーザＬ１を走査することにより、第３の単電池１Ｃのタブ２と第４の単電池１Ｄのタブ２とが互いに接合される。このように、積層方向Ｚに隣接した２つのタブ２，２の第１の片部２ｂと第３の片部２ｄとを順次接合することにより、第１〜４の単電池１Ａ〜１Ｄのタブ２，２，２，２が並列接続される。
【００１８】
また、上述したように、各単電池１において、第３の片部２ｄが第１の片部２ｂと平行に延びている。そして、第３の片部２ｄと第１の片部２ｂとの間の互いに平行な配置は、積層方向Ｚに隣接する２つの単電池においても同様である。従って、これらの隣接する２つの単電池において、タブ２，２の互いに平行な第３の片部２ｄと第１の片部２ｂとが重ね合わされている状態では、これらの片部２ｄ，２ｂ同士を溶接する際にクランプ治具（図示せず）によりクランプし易い。
【００１９】
図４は、本発明に係る組電池の第２の実施例を示す図であり、同じ形状のタブ２を有した４つの単電池１Ａ〜１Ｄにおける一方のタブ２の列の接続状態を模式的に示した図である。図４に示す例では、第１の単電池１Ａのタブ２は、偏平面４と平行に延びる基部２ａを備えており、第１の片部２ｂが、基部２ａの先端から偏平面４に対し直交する方向にかつ下方に折り曲げられている。また、第２の片部２ｃが、第１の片部２ｂの先端から第１の単電池１Ａの本体部側とは反対側に傾斜して折り曲げられている。そして、第３の片部２ｄが、第１の片部２ｂと平行に延びるようにして第２の片部２ｃの先端から折り曲げられている。つまり、第１の片部２ｂと第３の片部２ｄとは、互いに平行に延びており、傾斜した第２の片部２ｃを介して互いに接続されている。このとき、第３の片部２ｄは、少なくともタブ２の厚さ分だけ第１の片部２ｂからタブ導出方向Ｘにオフセットしている。
【００２０】
ここで、第３の片部２ｄは、第２の片部２ｃの先端から偏平面４に対し直交する方向にかつ下方に折り曲げられており、そして、第３の片部２ｄの中央の折り返し部２ｅから１８０度の角度で上方に折り返されている。つまり、第３の片部２ｄは、二重に折り重なった状態において、少なくともタブ２の厚さの２倍分の厚さを有している。なお、第３の片部２ｄは、理想的には、第３の片部２ｄの中央の折り返し部２ｅから１８０度の角度で上方に折り返されているが、実際には、第３の片部２ｄの折り返し部２ｅの変形や第３の片部２ｄの厚み等によって、図４に示すように、第３の片部２ｄの折り返し部２ｅから上方に向かうにつれて多少開いている。この第３の片部２ｄの先端から、第４の片部２ｆが、第２の片部２ｃとは反対側に傾斜して折り曲げられている。そして、第５の片部２ｇが、偏平面４と直交する方向に延びるようにして第４の片部２ｆの先端から折り曲げられている。つまり、第３の片部２ｄと第５の片部２ｇは、実質的に互いに平行に延びており、傾斜した第４の片部２ｆを介して互いに接続されている。このとき、第５の片部２ｇは、少なくともタブ２の厚さ分だけ第３の片部２ｄからタブ導出方向Ｘにオフセットしている。上述したように、第３の片部２ｄも少なくともタブ２の厚さ分だけ第１の片部２ｂからタブ導出方向Ｘにオフセットしているので、第５の片部２ｇは、少なくともタブ２の厚さの２倍分だけ第１の片部２ｂからタブ導出方向Ｘにオフセットしている。
【００２１】
第２の単電池１Ｂのタブ２は、第１の単電池１Ａのタブ２と同じ形状を有している。つまり、第２の単電池１Ｂのタブ２は、偏平面４と平行に延びる基部２ａを備えており、第１の片部２ｂが、基部２ａの先端から偏平面４に対し直交する方向にかつ下方に折り曲げられている。また、第２の片部２ｃが、第１の片部２ｂの先端から第２の単電池１Ｂの本体部側とは反対側に傾斜して折り曲げられている。そして、第３の片部２ｄが、第１の片部２ｂと平行に延びるようにして第２の片部２ｃの先端から折り曲げられている。第３の片部２ｄは、第１の単電池１Ａのタブ２の第３の片部２ｄと同様に折り返し部２ｅを介して１８０度の角度で上方に折り返されている。この第３の片部２ｄの先端から、第４の片部２ｆが、第２の片部２ｃとは反対側に傾斜して折り曲げられている。そして、第５の片部２ｇが、偏平面４に対し直交する方向に延びるようにして第４の片部２ｆの先端から折り曲げられている。
【００２２】
また、第３の単電池１Ｃおよび第４の単電池１Ｄも、第１，２の単電池１Ａ，１Ｂのタブ２，２と同じ形状を有している。つまり、第３の単電池１Ｃおよび第４の単電池１Ｄは、第１，２の単電池１Ａ，１Ｂのタブ２，２と同様に折り曲げられた第１の片部２ｂ，２ｂ、第２の片部２ｃ，２ｃ、第３の片部２ｄ，２ｄ、第４の片部２ｆ，２ｆおよび第５の片部２ｇ，２ｇをそれぞれ備えている。従って、第１〜４の単電池１Ａ〜１Ｄのタブ２，２，２，２全てが、同じ形状を有している。
【００２３】
上述したように、第３の片部２ｄが折り重なった状態で少なくともタブ２の厚さの２倍分の厚さを有しており、さらに、第５の片部２ｇが、少なくともタブ２の厚さの２倍分だけ第１の片部２ｂからタブ導出方向Ｘにオフセットしている。従って、例えば、積層方向Ｚに互いに隣接した第１の単電池１Ａおよび第２の単電池１Ｂにおいて、第２の単電池１Ｂのタブ２の第１の片部２ｂと第５の片部２ｇとの間に、第１の単電池１Ａのタブ２の第３の片部２ｄを挿入することができるだけの隙間が確保されている。
【００２４】
これにより、組電池５とした状態においては、第２の単電池１Ｂのタブ２の第１の片部２ｂと第５の片部２ｇとの間の隙間に第１の単電池１Ａのタブ２の第３の片部２ｄを挿入するようにして、第１の単電池１Ａのタブ２の第３の片部２ｄが、第２の単電池１Ｂのタブ２の第１の片部２ｂおよび第５の片部２ｇの双方に重ね合わされている。同様に、第３の単電池１Ｃのタブ２の第１の片部２ｂと第５の片部２ｇとの間の隙間に第２の単電池１Ｂのタブ２の第３の片部２ｄを挿入するようにして、第２の単電池１Ｂのタブ２の第３の片部２ｄが、第３の単電池１Ｃの第１の片部２ｂおよび第５の片部２ｇの双方に重ね合わされている。さらに、第４の単電池１Ｄのタブ２の第１の片部２ｂと第５の片部２ｇとの間の隙間に第３の単電池１Ｃのタブ２の第３の片部２ｄを挿入するようにして、第３の単電池１Ｃのタブ２の第３の片部２ｄが、第４の単電池１Ｄのタブ２の第１の片部２ｂおよび第５の片部２ｇの双方に重ね合わされている。
【００２５】
次に、レーザ溶接機（図示せず）が、重ね合わされた第１の単電池１Ａのタブ２の第３の片部２ｄおよび第２の単電池１Ｂのタブ２の第１の片部２ｂおよび第５の片部２ｇの全てと直交するようにして第２の単電池１Ｂのタブ２の第５の片部２ｇ側から矢印Ｌ２で示すようにレーザを照射する。そして、レーザＬ２を走査することにより、第１の単電池１Ａのタブ２と第２の単電池１Ｂのタブ２とが互いに接合される。同様に、レーザ溶接機（図示せず）は、重ね合わされた第２の単電池１Ｂのタブ２の第３の片部２ｄ、第３の単電池１Ｃのタブ２の第１の片部２ｂおよび第５の片部２ｇの全てと直交するようにして第３の単電池１Ｃのタブ２の第５の片部２ｇ側からレーザＬ２を照射する。そして、レーザＬ２を走査することにより、第２の単電池１Ｂのタブ２と第３の単電池１Ｃのタブ２とが互いに接合される。次に、レーザ溶接機（図示せず）は、重ね合わされた第３の単電池１Ｃのタブ２の第３の片部２ｄ、第４の単電池１Ｄのタブ２の第１の片部２ｂおよび第５の片部２ｇの全てと直交するようにして第４の単電池１Ｄのタブ２の第５の片部２ｇ側からレーザＬ２を照射する。そして、レーザＬ２を走査することにより、第３の単電池１Ｃのタブ２と第４の単電池１Ｄのタブ２とが互いに接合される。このように、積層方向Ｚに隣接した２つのタブ２，２の第３の片部２ｄ、第１の片部２ｂおよび第５の片部２ｇを順次接合することにより、第１〜４の単電池１Ａ〜１Ｄのタブ２，２，２，２が並列接続される。
【００２６】
図５は、本発明に係る組電池において用いられる他の実施例のタブ２を有した１つの単電池を示す図である。図５に示す例では、単電池１のタブ２は、偏平面４と平行に延びる矩形の基部２ａを備えており、タブ２のタブ幅方向Ｙに沿った右側半部において、矩形の第１の片部２ｂが、基部２ａの先端から偏平面４に対し直交する方向にかつ下方に折り曲げられている。また、矩形の第２の片部２ｃが、第１の片部２ｂの先端から単電池１の本体部側とは反対側に傾斜して折り曲げられている。そして、五角形の第３の片部２ｄが、第１の片部２ｂと平行に延びるようにして第２の片部２ｃの先端から折り曲げられている。ここで、第１の片部２ｂの幅は、基部２ａの幅の半分未満に設定されている。また、第２の片部２ｃの幅は、第１の片部２ｂの幅と等しく、第３の片部２ｄの幅は、基部２ａの幅と等しい。また、第３の片部２ｄは、少なくともタブ２の厚さ分だけ第１の片部２ｂからタブ導出方向Ｘにオフセットしている。
【００２７】
一方、タブ２のタブ幅方向Ｙに沿った左側半部において、矩形の第４の片部２ｆが、第２の片部２ｃとは反対側に傾斜するように第３の片部２ｄから折り曲げられている。そして、矩形の第５の片部２ｇが、第３の片部２ｄと平行に延びるようにして第４の片部２ｆの先端から折り曲げられている。ここで、第４の片部２ｆの幅と第５の片部２ｇの幅とは、互いに等しく、さらに、基部２ａまたは第３の片部２ｄの幅の半分未満に設定されている。また、第５の片部２ｇは、少なくともタブ２の厚さ分だけ第３の片部２ｄからタブ導出方向Ｘにオフセットしている。また、第１の片部２ｂおよび第２の片部２ｃと第４の片部２ｆおよび第５の片部２ｇとは、タブ幅方向Ｙに互いにオフセットしており、タブ導出方向Ｘから見たときに全く重なっていない。また、第２の片部２ｃと第４の片部２ｆとは、タブ２の一方の側部側からタブ幅方向Ｙに見たときに、第３の片部２ｄに対し左右対称となるように傾斜している。
【００２８】
図６は、図５の単電池１のタブ２を形成する工程を示す図である。第１の工程（ａ）では、タブ２の材料となる矩形の薄板６を用意する。ここで、薄板６の縦の辺６ａは、タブ導出方向Ｘに対応しており、一方、薄板６の横の辺６ｂは、タブ幅方向Ｙに対応している。
【００２９】
第２の工程（ｂ）では、金型（図示せず）により、薄板６の左側の縦の辺６ａの中央よりも上方から薄板６の幅の約半分までタブ幅方向Ｙに沿って第１のスリット７を形成する。次に、金型（図示せず）により、第１のスリット７の一方の端部から該第１のスリット７と直交して下方へと延びる第２のスリット８を形成する。つまり、第１のスリット７および第２のスリット８は、図示したように、薄板６の左側の縦の辺６ａの中央よりも上方からＬ字状のスリットを形成している。次に、金型（図示せず）により、薄板６の下側の横の辺６ｂの中央部から薄板６の左右の下側の角部よりも上方の点へと直線で結ぶようにして、薄板６の下側の横の辺６ｂをテーパ状に形成する。
【００３０】
第３の工程（ｃ）では、まず、第２のスリット８に直交し、かつ第２のスリット８の終端部を通る第１の折り曲げ基準線９を中心として、薄板６を折り曲げる。そして、第２のスリット８と直交し、かつ第１の折り曲げ基準線９と平行に延びる第２の折り曲げ基準線１０を中心として、薄板６を折り曲げる。ここで、第１の折り曲げ基準線９は、薄板６の右側半部において、第２の片部２ｃと第３の片部２ｄとの境界をなすものであり、一方、薄板６の左側半部において、第３の片部２ｄと第４の片部２ｆとの境界をなすものである。また、第２の折り曲げ基準線１０は、薄板６の右側半部において、第１の片部２ｂと第２の片部２ｃとの境界をなすものであり、一方、薄板６の左側半部において、第４の片部２ｆと第５の片部２ｇとの境界をなすものである。
【００３１】
第４の工程（ｄ）では、第３の工程（ｃ）で形成された薄板６を、保持台（図示せず）に対し垂直になるように設置し、プレス装置（図示せず）を用いて上方から力Ｆを加えて基部２ａを形成するようにして折り曲げる。
【００３２】
図７は、図５の単電池１を２つ積層して積層方向Ｚに互いに隣接したタブ２，２同士を重ね合わせてなる組電池５の図である。この例では、２番目の単電池１のタブ２の第１の片部２ｂに１番目の単電池１のタブ２の第３の片部２ｄを重ね合わせて、さらに、１番目の単電池１のタブ２の第３の片部２ｄに２番目の単電池１のタブ２の第５の片部２ｇを重ね合わせるようにして、１番目の単電池１が、２番目の単電池１上に積層されている。
【００３３】
図８は、図７に示した１番目の単電池１および２番目の単電池１の重ね合わされたタブ２，２の状態を示す図である。この例では、２番目の単電池１のタブ２の第１の片部２ｂと第５の片部２ｇとの間の隙間に１番目の単電池１のタブ２の第３の片部２ｄを挿入するようにして、１番目の単電池１のタブ２と２番目の単電池１のタブ２とが重ね合わされている。つまり、タブ２，２の右側半部において、２番目の単電池１のタブ２の第１の片部２ｂは、破線で示すように、１番目の単電池１のタブ２の第３の片部２ｄの裏側に位置しており、さらに、タブ２，２の左側半部において、１番目の単電池１のタブ２の第３の片部２ｄは、破線で示すように、２番目の単電池１のタブ２の第５の片部２ｇの裏側に位置している。
【００３４】
ここで、以下の説明の便宜のために、２番目の単電池１のタブ２の第１の片部２ｂと１番目の単電池１のタブ２の第３の片部２ｄとの重なり部分を第１の接合部１１として示し、さらに、１番目の単電池１のタブ２の第３の片部２ｄと２番目の単電池１のタブ２の第５の片部２ｇとの重なり部分を第２の接合部１２として示す。
【００３５】
図７を再び参照して、１番目の単電池１および２番目の単電池１のタブ２，２同士のレーザ溶接用クランプ治具１３を用いた接合を説明する。レーザ溶接用クランプ治具１３は、一対の内側治具１４および外側治具１５から構成されている。内側治具１４は、立方体である。また、外側治具１５は、内側治具１４と同じ大きさの立方体であり、上述した単電池１に対しタブ導出方向Ｘに貫通するレーザ溶接用スリット１６を備えている。
【００３６】
まず、２番目の単電池１のタブ２の第１の片部２ｂとこの単電池１の本体部との間に内側治具１４を矢印１７に示すようにタブ幅方向Ｙに沿って挿入する。次に、内側治具１４の初期位置よりもタブ導出方向Ｘにオフセットさせた位置から外側治具１５を矢印１８で示すようにタブ幅方向Ｙに沿って移動させ、タブ導出方向Ｘから見たときに外側治具１５のレーザ溶接用スリット１６と第１の接合部１１（図８）および第２の接合部１２（図８）の双方とが重なるようにする。そして、矢印１９，２０で示すように、内側治具１４と外側治具１５とを互いに接近させて、１番目の単電池１のタブ２の第３の片部２ｄ、２番目の単電池の第１の片部２ｂおよび第５の片部２ｇの三者をクランプする。次に、外側治具１５のレーザ溶接用スリット１６を通して矢印Ｌ３で示すようにレーザを照射する。そして、タブ幅方向Ｙに沿ってレーザＬ３を走査することにより、１番目の単電池１のタブ２と２番目の単電池１のタブ２とが、第１の接合部１１（図８）および第２の接合部１２（図８）において互いに接合される。
【００３７】
上記各実施例では、単電池として、フィルム外装電池の一例としてリチウムイオン二次電池を例にとり、この二次電池を複数積層してなる組電池について説明したが、本発明の対象となる電池は必ずしもフィルム外装電池に限定されるものではない。
【符号の説明】
【００３８】
１・・・単電池
２・・・タブ
２ａ・・・基部
２ｂ・・・第１の片部
２ｃ・・・第２の片部
２ｄ・・・第３の片部
４・・・偏平面
【図１】
0006357944.tif 000002
【図２】
0006357944.tif 000003
【図３】
0006357944.tif 000004
【図４】
0006357944.tif 000005
【図５】
0006357944.tif 000006
【図６】
0006357944.tif 000007
【図７】
0006357944.tif 000008
【図８】
0006357944.tif 000009